【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
インクと反応する液体を記録媒体に塗布するための塗布ローラと、前記塗布ローラに当接することで形成される液体保持空間に液体を保持するための保持部材とを備え、前記塗布ローラを回転させることにより前記液体保持空間に保持される液体を前記塗布ローラを介して前記記録媒体に塗布する塗布手段と、
前記塗布手段により液体が塗布された記録媒体に対してインクジェット記録ヘッドよりインクを吐出させて前記記録媒体に画像を記録する記録手段と、
前記液体を貯蔵する貯蔵手段と、
前記貯蔵手段と前記保持部材とを接続し、前記貯蔵手段から前記液体保持空間に前記液体を供給するための供給路と、
前記貯蔵手段と前記保持部材とを接続し、前記液体保持空間から前記貯蔵手段に前記液体を回収するための回収路と、
前記貯蔵手段、前記供給路、前記液体保持空間、前記回収路を含む流路において前記液体の流れを発生させるための液体移動手段とを備え、
前記液体移動手段は前記回収路に配置されることを特徴とするインクジェット記録装置。
【請求項２】
前記液体移動手段は、前記保持部材と前記回収路とを接続する、前記保持部材に形成された回収口での圧力が、前記保持部材と前記供給路とを接続する、前記保持部材に形成された供給口での圧力よりも相対的に低くなるように前記液体の流れを発生することを特徴とする請求項１記載のインクジェット記録装置。
【請求項３】
前記供給口および前記回収口は、前記保持部材の長手方向の端または該端の近傍にそれぞれ形成されることを特徴とする請求項２に記載のインクジェット記録装置。
【請求項４】
前記貯蔵手段は、前記保持部材に対して、前記回収口よりも前記供給口に近い位置に配置されることを特徴とする請求項２に記載のインクジェット記録装置。
【請求項５】
前記保持部材は、前記貯蔵手段よりも重力方向上方に配置されていることを特徴とする請求項１乃至４のいずれか記載のインクジェット記録装置。
【請求項６】
前記保持部材は、前記貯蔵手段に最大に前記液体を貯蔵している場合の液面と前記貯蔵手段の底面との間に配置されることを特徴とする請求項１乃至４のいずれかに記載のインクジェット記録装置。
【請求項７】
前記供給路の長さが前記回収路の長さよりも短いことを特徴とする請求項１乃至６のいずれかに記載のインクジェット記録装置。
【請求項８】
前記供給路を介した液体の供給を遮断するための弁をさらに備え、該弁は、前記供給路に配置されることを特徴とする請求項１乃至７のいずれかに記載のインクジェット記録装置。
【請求項９】
前記液体移動手段の駆動が停止している場合、前記弁による遮断を行うことを特徴とする請求項８に記載のインクジェット記録装置。
【請求項１０】
前記液体移動手段の駆動を制御することにより前記流路内で液体を循環させるための循環手段を更に備えることを特徴とする請求項１乃至９のいずれかに記載のインクジェット記録装置。
【請求項１１】
前記塗布手段による液体の塗布が行われている間、前記循環手段による液体の循環は継続的に行われることを特徴とする請求項１０に記載のインクジェット記録装置。
【請求項１２】
前記記録手段による記録動作が行われている間、前記循環手段による液体の循環は継続的に行われることを特徴とする請求項１０に記載のインクジェット記録装置。
【請求項１３】
前記記録動作の終了後に、前記循環手段による液体の循環は終了することを特徴とする請求項１２に記載のインクジェット記録装置。
【請求項１４】
前記保持部材は前記塗布ローラと当接する当接部を備え、当該当接部は単一の部材によって環状に形成されていることを特徴とする請求項１乃至１３のいずれかに記載のインクジェット記録装置。
【請求項１５】
前記液体は、前記インクに含有される色材を凝集させる液体であることを特徴とする請求項１乃至１４のいずれかに記載のインクジェット記録装置。
【請求項１６】
インクと反応する液体を塗布するための塗布ローラと、前記塗布ローラに当接して形成される液体保持空間に液体を保持するための保持部材とを有し、前記塗布ローラを回転させることにより前記液体保持空間に保持される液体を前記塗布ローラを介して前記記録媒体に塗布する塗布手段と、
前記塗布手段により液体が塗布された記録媒体に対してインクジェット記録ヘッドよりインクを吐出させて前記記録媒体に画像を記録する記録手段と、
前記液体を貯蔵する貯蔵手段と、
前記保持部材に形成される供給口を介して、前記貯蔵手段から前記液体保持空間に前記液体を供給するための供給路と、
前記保持部材に形成される回収口を介して、前記液体保持空間から前記貯蔵手段に前記液体を回収するための回収路と、
を備えたインクジェット記録装置における液体の回収方法であって、
前記記録手段による記録動作の終了後に、前記回収路を介して前記液体保持空間から前記貯蔵手段へ前記液体を回収する回収工程を有し、
前記回収工程では、前記供給口での圧力よりも前記回収口での圧力を相対的に低くすることで、前記液体保持空間を介して前記供給路から前記回収路へ向かう液体の流れを発生させ、これにより前記貯蔵手段への液体の回収を行うことを特徴とする回収方法。
【手続補正２】
【補正対象書類名】明細書
【補正対象項目名】発明の名称
【補正方法】変更
【補正の内容】
【発明の名称】インクジェット記録装置および回収方法
【手続補正３】
【補正対象書類名】明細書
【補正対象項目名】００１０
【補正方法】変更
【補正の内容】
【００１０】
本発明は、上記問題を解消するためになされたものであり、その目的とするところは、ローラとの間に形成される空間に塗布液を保持する液体保持部材に液体を供給および／または液体保持部材から液体を回収する際に、その液体保持部材からの液体の漏れを軽減することができるインクジェット記録装置および回収方法を提供することにある。
【手続補正４】
【補正対象書類名】明細書
【補正対象項目名】００１１
【補正方法】変更
【補正の内容】
【００１１】
このような目的を達成するために、本発明は、インクと反応する液体を記録媒体に塗布するための塗布ローラと、前記塗布ローラに当接することで形成される液体保持空間に液体を保持するための保持部材とを備え、前記塗布ローラを回転させることにより前記液体保持空間に保持される液体を前記塗布ローラを介して前記記録媒体に塗布する塗布手段と、前記塗布手段により液体が塗布された記録媒体に対してインクジェット記録ヘッドよりインクを吐出させて前記記録媒体に画像を記録する記録手段と、前記液体を貯蔵する貯蔵手段と、前記貯蔵手段と前記保持部材とを接続し、前記貯蔵手段から前記液体保持空間に前記液体を供給するための供給路と、前記貯蔵手段と前記保持部材とを接続し、前記液体保持空間から前記貯蔵手段に前記液体を回収するための回収路と、前記貯蔵手段、前記供給路、前記液体保持空間、前記回収路を含む流路において前記液体の流れを発生させるための液体移動手段とを備え、前記液体移動手段は前記回収路に配置されることを特徴とする。
【手続補正５】
【補正対象書類名】明細書
【補正対象項目名】００１２
【補正方法】変更
【補正の内容】
【００１２】
また、本発明は、インクと反応する液体を塗布するための塗布ローラと、前記塗布ローラに当接して形成される液体保持空間に液体を保持するための保持部材とを有し、前記塗布ローラを回転させることにより前記液体保持空間に保持される液体を前記塗布ローラを介して前記記録媒体に塗布する塗布手段と、前記塗布手段により液体が塗布された記録媒体に対してインクジェット記録ヘッドよりインクを吐出させて前記記録媒体に画像を記録する記録手段と、前記液体を貯蔵する貯蔵手段と、前記保持部材に形成される供給口を介して、前記貯蔵手段から前記液体保持空間に前記液体を供給するための供給路と、前記保持部材に形成される回収口を介して、前記液体保持空間から前記貯蔵手段に前記液体を回収するための回収路と、を備えたインクジェット記録装置における液体の回収方法であって、前記記録手段による記録動作の終了後に、前記回収路を介して前記液体保持空間から前記貯蔵手段へ前記液体を回収する回収工程を有し、前記回収工程では、前記供給口での圧力よりも前記回収口での圧力を相対的に低くすることで、前記液体保持空間を介して前記供給路から前記回収路へ向かう液体の流れを発生させ、これにより前記貯蔵手段への液体の回収を行うことを特徴とする。